(57)【要約】【課題】ユーザが転写媒体を手軽に得ることを可能とする転写自販システムを提供する。【解決手段】転写用デザインをコンテンツ・データベース１１に保存し読み出し又は更新するコンテンツ管理部３のデータベース・サーバ５と、コンテンツ・データベース５の転写用デザインをコンピュータ通信網９により共有して保存する記憶部４９及びスマホ・カバーをストック部５１に補充可能に複数収容し記憶部４９の転写用デザインを選択してスマホ・カバーに転写し又はユーザによる入力を受け付けた転写用デザインをスマホ・カバーに転写する転写部５３を備えた転写自動販売機７とを備え、ユーザが入力した転写用デザインは、消去するか、記憶部４９及びコンピュータ通信網９を介してデータベース・サーバ５のコンテンツ・データベース１１に保存登録するかを可能としたことを特徴とする。【選択図】図１
2014203355.tif 000002
【特許請求の範囲】
【請求項１】
デザイン画像、写真等を含む転写用デザインを転写媒体に転写して自動販売する転写自販システムであって、
前記転写用デザインをコンテンツ・データベースに保存し読み出し又は更新するコンテンツ管理部のデータベース・サーバと、
前記データベース・サーバにコンピュータ通信網を介して接続され前記コンテンツ・データベースの転写用デザインを前記コンピュータ通信網での通信により共有して保存する記憶部及び前記転写媒体をストック部に補充可能に複数収容し前記記憶部の転写用デザインを選択して前記転写媒体に転写し又はユーザによる入力を受け付けた転写用デザインを前記転写媒体に転写する転写部を備えた転写自動販売機とを備え、
前記ユーザが入力した転写用デザインは、消去するか、前記記憶部及びコンピュータ通信網を介して前記データベース・サーバのコンテンツ・データベースへ保存登録するかを可能とした、
ことを特徴とする転写自販システム。
【請求項２】
請求項１記載の転写自販システムであって、
前記ユーザによる入力は、携帯端末又は可搬の記憶メディアによる入力である、
ことを特徴とする転写自販システム。
【請求項３】
請求項１又は２記載の転写自販システムであって、
前記転写自動販売機は、カメラを備え、
前記ユーザによる入力は、前記カメラで撮像した撮像データの入力である、
ことを特徴とする転写自販システム。
【請求項４】
請求項１〜３の何れかに記載の転写自販システムであって、
前記データベース・サーバに前記コンピュータ通信網を介して各種端末が接続されこの各種端末から各種の転写用デザインを前記コンテンツ・データベースに保存登録可能とした、
ことを特徴とする転写自販システム。
【請求項５】
請求項１〜４の何れかに記載の転写自販システムであって、
前記コンテンツ管理部は、前記コンピュータ通信網を介して入力される保存登録用の転写用デザインを仮保存するコンテンツ仮登録データベースと、
前記コンテンツ仮登録データベースに仮登録された転写用デザインを読み出して登録審査をクリアしたもののみ前記コンテンツ・データベースに保存登録させる登録審査部を備えた、
ことを特徴とする転写自販システム。
【請求項６】
請求項１〜５の何れかに記載の転写自販システムであって、
前記転写自動販売機は、前記転写媒体に転写する転写用デザインが加工可能か否かを判断する判断部と、
加工が可能と判断されたとき前記転写媒体に転写する転写用デザインを転写前に加工する加工部とを備えた、
ことを特徴とする転写自販システム。
【請求項７】
請求項１〜６の何れかに記載の転写自販システムであって、
前記転写媒体は、スマホ・カバーである、
ことを特徴とする転写自販システム。
【発明の詳細な説明】
【技術分野】
【０００１】
本発明は、スマホ・カバー等にデザインを転写して自動販売する転写自販システムに関する。
【背景技術】
【０００２】
従来、この種のシステムとして、特許文献１に記載のものがある。このシステムは、デザインデータの販売管理システムであり、グラフィック・デザイン、立体的なオブジェ、映像を含むビジュアルデザインを販売管理するコンピュータシステムであって、デザイン・データベースと、デザイン管理本部と、各端末装置で構成されている。
【０００３】
デザイン・データベースには、デザイナーが製作したデザイン画像をデジタルデータ化し、個々のデータを選択・区分けし、関連付けして保存・蓄積する。
【０００４】
デザイン管理本部は、デザイン画像をライブラリ化し、店舗、建設会社等の不特定多数の顧客へ通信ネットワークを介して、公開・受注・再現・販売する。
【０００５】
各端末装置は、デザイン画像を登録するデザイナーと、公開されたデザイン画像を参照して希望する商品を発注依頼する顧客と、顧客からの依頼又はデザイン管理本部からの指示により受注・製品化・施工・納品を行う代理店とがそれぞれ所有している。
【０００６】
したがって、顧客からウインドウやフェンス等の装飾依頼を受けた代理店は、管理本部の提供するホームページを検索・参照して施工作品を選択し、装飾用デザインの画像データを得ることができる。また、代理店は今まで請負・施工した施工作品を写真や施工仕様などの形で管理本部に提供・登録することができ、顧客、代理店などは、Ｗｅｂサーバー１３を介し登録された施工作品を参照・発注することもできる。装飾用デザインを施工するために、装飾用の粘着シート（例えばカッティングシート：商標登録１４５１０８７）を用いて各デザインパーツが加工され、製品化されて施工される。装飾用の粘着シートはデザイン画像をもとに予め色分けされて用意されデザインパーツ毎に加工される。他の施工方法としては、予め透明フィルムなどのシートにデザイン画像を印刷して、所定の場所に貼り付けるようにすることもできる。
【０００７】
しかし、一般ユーザが画像デザインを手軽に選択して転写媒体に印刷し、所望デザインの対象物を手軽に得る、ということはできなかった。
【０００８】
例えば、近年では、携帯コンピュータ機能を併せ持った携帯電話としてスマート・フォンが知られており、このスマート・フォンのいわゆるスマホ・カバーに好みのデザインを付けたいという要求がある。
【０００９】
しかし、ユーザは、店頭において各種陳列された既成デザインのスマホ・カバーを選択する意外に方法が無く、その改善が望まれていた。
【００１０】
この場合、先の提案を応用しても、代理店が注文を受ける業務形態であり、ユーザが所望デザインのスマホ・カバー等を手軽に得ることはできず、広範な普及は困難である。
【先行技術文献】
【特許文献】
【００１１】
【特許文献１】特開２００２−１８３４６９号公報
【発明の概要】
【発明が解決しようとする課題】
【００１２】
解決しようとする問題点は、ユーザが所望デザインのスマホ・カバー等の対象物を手軽に得ることができなかった点である。
【課題を解決するための手段】
【００１３】
本発明は、ユーザが所望デザインの対象物を手軽に得ることを可能とするために、デザイン画像、写真等を含む転写用デザインを転写媒体に転写して販売する転写自販システムであって、前記転写用デザインをコンテンツ・データベースに保存し読み出し又は更新するコンテンツ管理部のデータベース・サーバと、前記データベース・サーバにコンピュータ通信網を介して接続され前記コンテンツ・データベースの転写用デザインを前記コンピュータ通信網での通信により共有して保存する記憶部及び前記転写媒体をストック部に補充可能に複数収容し前記記憶部の転写用デザインを選択して前記転写媒体に転写し又はユーザによる入力を受け付けた転写用デザインを前記転写媒体に転写する転写部を備えた転写自動販売機とを備え、前記ユーザが入力した転写用デザインは、消去するか前記記憶部及びコンピュータ通信網を介して前記データベース・サーバのコンテンツ・データベースへ保存登録するかを可能としたことを特徴とする。
【発明の効果】
【００１４】
本発明の転写自販システムは、上記構成であるから、ユーザが、転写自動販売機を操作して選択などした転写用デザインが、ストック部から供給を受ける転写媒体に転写部で転写され、所望デザインのスマホ・カバー等の転写媒体を手軽に得ることができる。
【００１５】
しかも、ユーザが入力した転写用デザインは、消去するか、記憶部及びコンピュータ通信網を介してコンテンツ管理部のデータベース・サーバのコンテンツ・データベースに保存登録するかが可能であり、ユーザが入力した創作などの転写用デザインの汎用性を高めることもできる。
【図面の簡単な説明】
【００１６】
【図１】転写自販システムの構成図である。（実施例１）
【図２】転写用デザインの登録を説明する転写自販システムの構成図である。（実施例１）
【図３】ユーザによるコンテンツの登録態様を示すフローチャートである。（実施例１）
【図４】転写自動販売機の概念図である。（実施例１）
【図５】転写自動販売機のブロック図である。（実施例１）
【図６】転写自販システムのフローチャートである。（実施例１）
【図７】転写自動販売機の画面表示に係り、（Ａ）は、待機画面、（Ｂ）は、コース選択画面、（Ｃ）は、ケース選択画面を示す説明図である。（実施例１）
【図８】転写自動販売機の画面表示に係り、（Ａ）は、決済画面、（Ｂ）は、撮影画面、（Ｃ）は、画像取り込み画面を示す説明図である。（実施例１）
【図９】転写自動販売機の画面表示に係り、（Ａ）は、提供画像選択画面、（Ｂ）は、画像編集画面、（Ｃ）は、プレビュー画面を示す説明図である。（実施例１）
【図１０】転写自動販売機の画面表示に係り、（Ａ）は、画像転送中画面、（Ｂ）は、追加購入斡旋画面、（Ｃ）は、登録画面を示す説明図である。（実施例１）
【図１１】転写自動販売機の画面表示に係り、（Ａ）は、完成品受け取り画面、（Ｂ）は、終了画面を示す説明図である。（実施例１）
【発明を実施するための形態】
【００１７】
ユーザが転写媒体を手軽に得ることを可能にするという目的を、デザイン画像、写真等を含む転写用デザインを転写媒体に転写して販売する転写自販システムであって、前記転写用デザインをコンテンツ・データベースに保存し読み出し又は更新するコンテンツ管理部のデータベース・サーバと、前記データベース・サーバにコンピュータ通信網を介して接続され前記コンテンツ・データベースの転写用デザインを前記コンピュータ通信網での通信により共有して保存する記憶部及び前記転写媒体をストック部に補充可能に複数収容し前記記憶部の転写用デザインを選択して前記転写媒体に転写し又はユーザによる入力を受け付けた転写用デザインを前記転写媒体に転写する転写部を備えた転写自動販売機とを備え、前記ユーザが入力した転写用デザインは、消去するか、前記記憶部及びコンピュータ通信網を介して前記データベース・サーバのコンテンツ・データベースへ保存登録するかを可能としたことにより実現した。
【００１８】
転写媒体としては、スマホ・カバーとしたが、これに限らず、デザインの転写が可能な各種の媒体を採用することができる。
【００１９】
コンテンツ・データベースには、管理者が転写用デザインを保存登録する他、外部の企業パートナーのサイトと連動してデザイン・プラットフォームを活用して登録すること、ＳＮＳなど、既存会員を持つ企業を経由して会員サービスとして登録を行わせることも可能である。クリエータ、デザイン企業、一般ユーザが登録することもできる。
【実施例１】
【００２０】
［転写自販システム］
図１は、転写自販システムの構成図である。
【００２１】
図１の転写自販システム１は、デザイン画像、写真等を含む転写用デザイン（単に「コンテンツ」と称する場合もある。）を転写媒体の一例であるスマホ・カバーに転写して販売するものであり、コンテンツ管理部３のデータベース・サーバ５と、転写自動販売機７とを備えている。これらデータベース・サーバ５及び転写自動販売機７は、オープンなコンピュータ通信網９を介して接続され、通信可能となっている。
【００２２】
コンテンツ管理部３は、デジタル・コンテンツの集約／管理、デザイン・プラットフォームの運営、転写自動販売機７からの登録データ管理等を行う。デジタル・コンテンツは、各種存在するが、本実施例では、デザイン画像、写真等を含む転写用デザインをデジタル化したものをコンテンツ・データベース１１に保存し、集約／管理を行っている。コンテンツ・データベース１１への転写用デザインの保存登録については、後述する。
【００２３】
データベース・サーバ５は、コンピュータ通信網９上にオープン・プラットフォームとしてのデザイン・プラットフォームを構築し、その運営を担う。
【００２４】
このデータベース・サーバ５は、転写用デザインをコンテンツ・データベース１１に保存しこのコンテンツ・データベース１１に保存されている転写用デザインを読み出し又は更新する機能を有する。
【００２５】
転写自動販売機７は、スタンド・アローンで店舗、遊技場等の固定施設１３に常設で固定設置され、或いはイベント会場等１５に臨時に設置される。例えば、固定施設１３では、日本全国、各外国の固定施設１３にそれぞれ１台又は複数台が相当数設置される。イベント会場１５では、１台又は複数台がそれぞれ設置される。
【００２６】
この転写自動販売機７は、転写媒体として、例えばスマホ・カバーにデザインを印刷して自動販売するものであり、ユーザの操作により所望デザインのスマホ・カバー等を手軽に得ることができる。転写自動販売機７の詳細は後述する。転写媒体としては、スマホ・カバーに限らず、シール、カード類等転写可能なものであればよい。
【００２７】
したがって、ユーザは、固定施設１３やイベント会場等１５に出向いた際に、転写自動販売機７のタッチ画面操作により、記憶されている転写用デザインを選択すること等と共に、ストックされている無垢のスマホ・カバーの種類を選択し、料金を支払うことで選択したデザインが焼き付けられたスマホ・カバーを得ることができる。
【００２８】
転写用デザインは、コンピュータ機能を併せ持った携帯端末であるスマート・フォン１７によりコンテンツ管理部３のホームページへアクセスすることで提供コンテンツをダウンロードし、これを固定施設１３、イベント会場等１５へ持参してスマート・フォン１７の転写用デザインを転写自動販売機７へケーブル／画像転送アプリ経由で転送しても良い。
【００２９】
また、転写自動販売機７が備える後述のカメラにより撮影を行い、撮像画像を転写用デザインとして用いることもできる。さらに、ユーザが自宅１９等でパーソナルコンピュータ２１、タブレットＰＣ２３、コンピュータ機能を併せ持ったテレビ２５等によりコンテンツ管理部３のホームページへアクセスすることで提供コンテンツをダウンロードし、加工可能な転写用デザインであるときはカスタマイズ加工してスマート・フォン１７へ落とし込み、これを固定施設１３、イベント会場等１５へ持参してスマート・フォン１７のカスタマイズ後の転写用デザインを転写自動販売機７へ転送しても良い。
【００３０】
ダウンロードした転写用デザインの固定施設１３、イベント会場等１５への持ち込みは、可搬の記憶メディアで行わせることも可能である。
【００３１】
ユーザが創作した転写用デザインについてもスマート・フォン１７や記憶メディア等により固定施設１３、イベント会場等１５へ持ち込むことで転写自動販売機７に読み込ませ、自ら創作したデザインを焼き付けたスマホ・カバーを得ることもできる。
【００３２】
［転写用デザインの登録］
図２は、転写用デザインの登録を説明する転写自販システムの構成図である。
【００３３】
図２のように、コンテンツ管理部３は、コンテンツ仮登録データベース２７及び登録審査部２９を備えている。これら、コンテンツ仮登録データベース２７及び登録審査部２９により転写用デザインの適切な登録が可能か否か、著作権があるか否か等の審査を行う。なお、コンテンツ仮登録データベース２７及び登録審査部２９は、図１においては図示を省略した。
【００３４】
コンテンツ仮登録データベース２７は、データベース・サーバ５の機能によりコンピュータ通信網９を介して入力される保存登録用の転写用デザインを仮保存する。登録審査部２９では、コンテンツ仮登録データベース２７に仮登録された転写用デザインを読み出して登録審査をクリアしたもののみコンテンツ・データベース１１に保存登録させる。登録審査部２９での審査手法としては、特に限定されないが、次のようなものがある。仮登録された転写用デザインを登録審査部２９でのディスプレイ表示により審査員が審査する手法、著作権等のあるデザインの特徴量をデータとして保存し、仮登録された転写用デザインの特徴量と比較し、一致するか否を判断する手法等がある。
【００３５】
登録審査の結果、公序良俗に反する表現が含まれるものは除外され、著作権のあるものとないものと区別されるなどしてコンテンツ・データベース１１に保存登録される。
【００３６】
登録の受け付けは、前記のように、ユーザが創作した転写用デザインをスマート・フォン１７により登録する場合、外部の企業パートナーのサイト３１と連動してデザイン・プラットフォームを活用して登録する場合、ＳＮＳなど、既存会員を持つ企業３３を経由して会員サービスとして登録を行わせる場合等がある。クリエータ、デザイン企業、一般ユーザが、スマート・フォン３５、パーソナルコンピュータ３７、タブレットＰＣ３９、コンピュータ機能を併せ持ったテレビ４１等により登録することもできる。
【００３７】
このように、データベース・サーバ５にコンピュータ通信網９を介して各種端末が接続されこの各種端末から各種の転写用デザインをコンテンツ・データベース１１に保存登録可能とした。
【００３８】
コンテンツ・データベース１１に保存登録されたクリエータ等のコンテンツは、コンテンツ管理部３のホームページ上でコンテストを行い、オープンな投票によりランク付けすることなども可能である。
【００３９】
図３は、ユーザによるコンテンツの登録態様を示すフローチャートである。
【００４０】
図３では、コンテンツのタイプにより上段から４種類に分けて示している。上段から順に説明すると、コンテンツ・タイプとしては、(1)転写自動販売機７のカメラで例えばユザのコスプレ等、ユーザ自身の写真を撮像したもの、(2)管理者がコンテンツ管理部３に提供したコンテンツを転写自動販売機７において選択し加工、編集したもの、(3)管理者がコンテンツ管理部３に提供したコンテンツをスマート・フォン１７等でダウンロードし加工、編集して転写自動販売機７に転送するもの、(4)自作オリジナルコンテンツを転写自動販売機７に転送するものがある。
【００４１】
それぞれのコンテンツは、登録しない場合は使用後に削除され、登録する場合は第三者に無償提供或いは販売がなされる。
【００４２】
このように、ユーザが入力した転写用デザインは、消去し、又は転写自動販売機７に記憶させ、コンピュータ通信網９を介してデータベース・サーバ５のコンテンツ・データベース１１へ保存登録可能とした。
【００４３】
また、転写自動販売機７は、カメラを備えており、ユーザによる入力は、カメラで撮像した撮像データの入力でもよい。
【００４４】
［転写自動販売機］
図４は、転写自動販売機の概念図、図５は、転写販売機のブロック図である。
【００４５】
図４のように、転写自動販売機７は、コンテンツ・データベース１１にインターネット接続されており、タッチパネル式の表示部４３及び商品取出口４５を外面に備えている。
【００４６】
転写自動販売機７は、コンピュータ機能を備えており、図５のように、制御部４７、記憶部４９、ストック部５１、転写部５３を備える他、判断部５５、加工部５７、カメラ５９を備えている。
【００４７】
制御部４７は、各部の動作を制御するものであり、ＣＰＵ又はＭＰＵ、ＲＯＭ、ＲＡＭ等で構成されている。記憶部４９は、コンテンツ・データベース１１の転写用デザインを前記コンピュータ通信網９での通信により共有して保存するものである。ストック部５１は、転写媒体を補充可能に複数収容する部分であり、本実施例では、デザイン転写前の無垢のスマホ・カバーが積層ストックされている。転写部５３は、記憶部４９の転写用デザインを選択して転写媒体に転写し又はユーザによる入力を受け付けた転写用デザインを転写媒体に転写する機能を有する部分である。
【００４８】
判断部５５は、転写媒体に転写する転写用デザインが加工可能か否かを判断する機能を有する部分である。この判断は、例えば撮影した画像、ユーザの持ち込み画像であるか否かとしている。著作権の有無等を判断しても良い。加工部５７は、加工が可能と判断されたとき転写媒体に転写する転写用デザインを転写前に加工する機能を有する部分である。転写用デザインの加工は、前記のように外部端末においても可能である。カメラ５９は、ユーザのコスプレ等を撮像するものである。撮像画像は、記憶部４９へ記憶させると共にユーザの選択によりコンテンツ・データベース１１に登録させ、転写用デザインとして用いることになる。
【００４９】
［フローチャート］
図６は、転写自販システムのフローチャート、図７〜図１１は、転写自動販売機の画面表示に係る説明図である。図６のフローチャートの説明は、図７〜図１１を適宜参照する。
【００５０】
図６のフローチャートは、転写自動販売機７の表示部４３の図７（Ａ）の待機画面において、「開始」をタッチすることで実行されることになる。
【００５１】
図７（Ａ）の待機画面では、「コンテンツ表示」がなされている。表示内容は、例えば以下の通りである。
【００５２】
「−言語選択（日/英/中/韓）＋〔開始〕ボタン
−操作方法
−売上ランキング
−デザインのランダム表示
−コンテンツ紹介
−新着表示
−コラボ企業のＣＭ
−その他」
かかる画面表示において、「開始」をタッチするとステップＳ１（以下、各ステップをＳを用いて略称する。）の「コース選択」の処理に移行し、図７（Ｂ）の画面が表示される。この画面の表示内容は、複数コース（価格ランク）の中からコースを選択させる表示及びカメラ/セルフデータに関しての同意の表示である。複数コース（価格ランク）としては、(1)提供デザイン、(2)スペシャルデザイン、(3)自作デザイン／カメラ撮影がある。カメラ/セルフデータに関しての同意としては、併せて次のような表示が行われる。
【００５３】
「下記の様な物はカバーにする事は出来ません。
【００５４】
(1)漫画/アニメ/キャラクター又はそのパロディ
(2)有名人の写真、絵、又はそのパロディ
(3)使用許可の無い企業や団体のロゴや模様、
またはそのパロディ
同意しない  ／  同意する」
かかる画面表示において、(1)提供デザイン、(2)スペシャルデザイン、(3)自作デザイン／カメラ撮影の何れかが選択され、「同意する」がタッチされると、Ｓ２に移行する。
【００５５】
Ｓ２では、「ケース選択」の処理に移行し、図７（Ｃ）の画面が表示される。この画面の表示内容は、購入するケースの種類（機種）である。転写自動販売機７ごとに搭載しているケースの種類（機種）が表示される。
【００５６】
かかる画面表示において、購入したいケースが選択されるとＳ３に移行する。
【００５７】
Ｓ３では、「決済」の処理に移行し、図８（Ａ）の画面が表示される。この画面の表示内容は、コース、ケースの種類から算出した金額であり、ユーザが代金を投入すると、選択したコースに応じてＳ４〜Ｓ６の何れかに移行する。
【００５８】
Ｓ４では、「撮影画像」の処理に移行して図８（Ｂ）の画面が表示され、Ｓ５では、「画像取り込み」の処理に移行して図８（Ｃ）の画面が表示され、Ｓ６では、「提供画像」の処理に移行して図９（Ａ）の画面が表示される。
【００５９】
Ｓ４の図８（Ｂ）の画面では、図５で示す転写自動販売機７のカメラ５９で写真撮影が行われ、例えば複数ショットを撮影し、撮影した映像から、スマホ・カバーにプリントする１枚を決定し、選択する。
【００６０】
Ｓ５の図８（Ｃ）の画面では、スマート・フォン１７に格納して持参した写真を転写自動販売機７に、例えばケーブル/画像転送アプリ経由でスマート・フォンから画像ファイルを転送し、転送した映像から、スマホ・カバーにプリントする１枚を決定、選択する。
Ｓ６の図９（Ａ）の画面では、転写自動販売機７のコンテンツ・データベース１１に保存されている転写デザインがコレクションとして表示され、その中からスマホ・カバーにプリントする１枚を決定、選択する。
【００６１】
Ｓ４〜Ｓ６を経るとＳ７に移行し、「編集可能か？」の判断処理が行われ、編集が可能と判断されれば（ＹＥＳ）、Ｓ８に移行し、編集が可能ではない判断されれば（ＮＯ）、Ｓ９に移行する。
【００６２】
Ｓ８では、図９（Ｂ）のような画面が表示される。この画面表示での「編集」の処理により、撮影した画像、持ち込み画像、及び加工可能な提供デザインについてテキスト、スタンプを追加し、拡大・ 縮小、回転等の効果処理を施してスマホ・カバーにプリントする画像を装飾し、Ｓ９に移行する。
【００６３】
Ｓ９では、「プレビュー」の処理に移行し、図９（Ｃ）の画面が表示される。この画面表示により、スマホ・カバーの完成図プレビューが行われ、カバー正面、側面、上下面の   出来上りイメージ図を表示される。この画面において決定、または選択／装飾画面に戻ってやり直しの表示も行われる。決定が選択されるとＳ１０に移行し、選択がタッチされるとＳ１に戻り、装飾画面に戻ってやり直しがタッチされるとＳ８に戻る。
【００６４】
Ｓ１０では、「画像プリント・焼き付け」の処理に移行し、図１０（Ａ）のプリント画像決定後の待機画面にカバー作成中の画面メッセージが表示される。この処理では、転写自動販売機７内の転写部５３のプリンタで転写デザインが一端熱転写紙に印刷され、この印刷された熱転写紙を用いて転写部５３の熱転写装置で無垢のスマホ・カバーに焼き付けられ、焼き付け完了によりＳ１１に移行する。
【００６５】
Ｓ１１では、「追加購入？」の処理に移行し、図１０（Ｂ）の画面が表示される。この画面表示は、作成中のカバーの追加注文に関し、はい／いいえ、個数の選択、金額の表示が行われる。個数が選択され、料金支払いが行われると、Ｓ１２、Ｓ１３を経てＳ１０に戻る。
【００６６】
Ｓ１２では、選択された個数ｎの設定処理が行われ、Ｓ１０での追加処理毎にＳ１３で「ｎ−１＝０？」の判断が行われる。追加処理の個数が満たされるとＳ１３からＳ１４に移行する。
【００６７】
Ｓ１４では、「コンテンツ登録？」の判断処理が行われ、図１０（Ｃ）の画面が表示される。この画面表示は、次のようなものであり、その入力、登録を促す。
【００６８】
「［一般ユーザ］
(1)ニックネーム
(２)メールアドレス  
(３)パスワード
［上級ユーザ］
(４)氏名(漢字)
(５)氏名(カナ)
(６)〒,住所
(７)電話番号
(８)カード情報など」
入力があれば（ＹＥＳ）、Ｓ１５に移行し、入力内容が入力コンテンツと共にコンテンツ・データベース１１に登録される。設定時間を経ても入力がなければ（ＮＯ）、Ｓ１６に移行する。
【００６９】
Ｓ１６では、「プリントされたカバーの排出」の処理に移行し、図１１（Ａ）の画面が表示される。この処理では、転写自動販売機７の商品取出口４５に完成品が排出され、ユーザにより取出すことができる。画面では、操作方法、売上ランキング、デザインのランダム表示、コンテンツ紹介、新着表示、コラボ企業のＣＭ等が表示され、次いで図１１（Ｂ）の画面が表示され、終了する。終了画面では、コンタクト情報、コンテンツ管理部３のＵＲＬ等の表示が行われる。
【００７０】
［実施例の効果］
本発明実施例の転写自販システム１は、デザイン画像、写真等を含む転写用デザインをスマホ・カバーに転写して販売する転写自販システムであって、転写用デザインをコンテンツ・データベース１１に保存し読み出し又は更新するコンテンツ管理部３のデータベース・サーバ５と、データベース・サーバ５にコンピュータ通信網９を介して接続されコンテンツ・データベース１１の転写用デザインをコンピュータ通信網９での通信により共有して保存する記憶部４９及びスマホ・カバーをストック部５１に補充可能に複数収容し記憶部４９の転写用デザインを選択してスマホ・カバーに転写し又はユーザによる入力を受け付けた転写用デザインをスマホ・カバーに転写する転写部５３を備えた転写自動販売機７とを備え、ユーザが入力した転写用デザインは、消去するか、記憶部４９及びコンピュータ通信網９を介してデータベース・サーバ５のコンテンツ・データベース１１に保存登録するかを可能とした。
【００７１】
このため、ユーザが、転写自動販売機７を操作して転写用デザインを選択するなどして、ストック部５１から供給を受けるスマホ・カバーに転写部５３で転写用デザインが転写され、所望デザインのスマホ・カバーを手軽に得ることができる。
【００７２】
しかも、ユーザが入力した転写用デザインは、消去するか、記憶部４９及びコンテンツ・データベース１１へ保存登録することができ、ユーザが創作するなどした転写用デザインの汎用性を高めることもできる。
【符号の説明】
【００７３】
１  転写自販システム
３  コンテンツ管理部
５  データベース・サーバ
７  転写自動販売機
９  コンピュータ通信網
１１  コンテンツ・データベース
４３  表示部
４７  制御部
４９  記憶部
５１  ストック部
５３  転写部
５５  判断部
５７  加工部
５９  カメラ
【図４】
2014203355.tif 000003
【図１】
2014203355.tif 000004
【図２】
2014203355.tif 000005
【図３】
2014203355.tif 000006
【図５】
2014203355.tif 000007
【図６】
2014203355.tif 000008
【図７】
2014203355.tif 000009
【図８】
2014203355.tif 000010
【図９】
2014203355.tif 000011
【図１０】
2014203355.tif 000012
【図１１】
2014203355.tif 000013